【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
ワイヤレス通信において基準信号送信の密度を増大させるための方法であって、
１つまたは複数のアンテナポートの第１のセット向けの基準信号が送信されるようにスケジュールされる前記１つまたは複数のアンテナポートの第１のセット用のリソース要素の第１のセットを示す第１の基準信号構成を受信することと、
１つまたは複数のアンテナポートの第２のセット向けの基準信号が送信されるようにスケジュールされる前記１つまたは複数のアンテナポートの第２のセット用のリソース要素の第２のセットを示す第２の基準信号構成を受信することと、
少なくとも２つのアンテナポート間の関連付けを示す関連付け構成を受信することと、ここにおいて、前記少なくとも２つのアンテナポートは１つまたは複数のアンテナポートの前記第１のセットにおける第１のアンテナポート並びに１つまたは複数のアンテナポートの前記第２のセットにおける第１のアンテナポートを含む、
リソース要素の前記第１のセット内で第１の基準信号並びにリソース要素の前記第２のセット内で第２の基準信号を示す複数の基準信号を受信することと、
前記関連付け構成に少なくとも部分的に基づいて、少なくとも前記第１の基準信号および前記第２の基準信号に基づき前記第１のアンテナポートに関連付けられたチャネルの少なくとも１つのチャネル特性のチャネル測定を行うこととを備える、方法。
【請求項２】
１つまたは複数のアンテナポートの前記第１のセットは、１つまたは複数のアンテナポートの前記第２のセットとは異なり、前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、請求項１に記載の方法。
【請求項３】
前記少なくとも１つのチャネル特性は、時間トラッキング値、周波数トラッキング値、ドップラー拡散推定値、または遅延拡散推定値のうちの少なくとも１つを含む、請求項１に記載の方法。
【請求項４】
前記複数の基準信号を前記受信することは、スロットの異なるシンボル内にある前記少なくとも２つのアンテナポート用の前記リソース要素上で前記複数の基準信号を受信することを備える、請求項１に記載の方法。
【請求項５】
前記複数の基準信号を前記受信することは、スロットの複数のシンボルの同じセット内にあって周波数上で均一に間隔が空けられた前記少なくとも２つのアンテナポートに対応する前記リソース要素内で前記複数の基準信号を受信することを備える、請求項１に記載の方法。
【請求項６】
前記複数の基準信号を前記受信することは、スロットの異なるシンボル内にあって周波数上で均一に間隔が空けられた前記少なくとも２つのアンテナポートに対応する前記リソース要素内で前記複数の基準信号を受信することを備える、請求項１に記載の方法。
【請求項７】
前記複数の基準信号を前記受信することは、異なるスロット内にある前記少なくとも２つのアンテナポートに対応する前記リソース要素内で前記複数の基準信号を受信することを備える、請求項１に記載の方法。
【請求項８】
前記複数の基準信号を前記受信することは、前記複数の基準信号構成に基づいてアクセスポイントによって送信された複数のチャネル状態情報（ＣＳＩ）基準信号を受信することを備える、請求項１に記載の方法。
【請求項９】
前記複数のＣＳＩ基準信号の少なくとも一部分に少なくとも部分的に基づいて、前記少なくとも２つのアンテナポートの各々についてのチャネル状態情報を測定することと、前記測定されたチャネル状態情報の指示を前記アクセスポイントに送信することとをさらに備える、請求項８に記載の方法。
【請求項１０】
ワイヤレス通信のための装置であって、
１つまたは複数のアンテナポートの第１のセット向けの基準信号が送信されるようにスケジュールされる前記１つまたは複数のアンテナポートの第１のセット用のリソース要素の第１のセットを示す第１の基準信号構成を受信するための手段と、
１つまたは複数のアンテナポートの第２のセット向けの基準信号が送信されるようにスケジュールされる前記１つまたは複数のアンテナポートの第２のセット用のリソース要素の第２のセットを示す第２の基準信号構成を受信するための手段と、
少なくとも２つのアンテナポート間の関連付けを示す関連付け構成を受信するための手段と、ここにおいて、前記少なくとも２つのアンテナポートは１つまたは複数のアンテナポートの前記第１のセットにおける第１のアンテナポート並びに１つまたは複数のアンテナポートの前記第２のセットにおける第１のアンテナポートを含む、
リソース要素の前記第１のセット内で第１の基準信号並びにリソース要素の前記第２のセット内で第２の基準信号を示す複数の基準信号を受信するための手段と、
前記関連付け構成に少なくとも部分的に基づいて、少なくとも前記第１の基準信号および前記第２の基準信号に基づき前記第１のアンテナポートに関連付けられたチャネルの少なくとも１つのチャネル特性のチャネル測定を行うための手段とを備える、装置。
【請求項１１】
前記複数の基準信号を受信するための前記手段は、異なるスロット内にある前記少なくとも２つのアンテナポートに対応する前記リソース要素内で前記複数の基準信号を受信する、請求項１０に記載の装置。
【請求項１２】
ワイヤレス通信において基準信号送信の密度を増大させるための方法であって、
１つまたは複数のアンテナポートの第１のセット向けの基準信号が送信されるようにスケジュールされる前記１つまたは複数のアンテナポートの第１のセット用のリソース要素の第１のセットを示す第１の基準信号構成を送信することと、
１つまたは複数のアンテナポートの第２のセット向けの基準信号が送信されるようにスケジュールされる前記１つまたは複数のアンテナポートの第２のセット用のリソース要素の第２のセットを示す第２の基準信号構成を送信することと、
少なくとも２つのアンテナポート間の関連付けを示す関連付け構成を送信することと、ここにおいて、前記少なくとも２つのアンテナポートは１つまたは複数のアンテナポートの前記第１のセットにおける第１のアンテナポート並びに１つまたは複数のアンテナポートの前記第２のセットにおける第１のアンテナポートを含む、
前記関連付け構成に少なくとも部分的に基づいて、前記第１の基準信号および前記第２の基準信号間で同じである少なくとも１つのチャネル特性に基づきリソース要素の前記第１のセット内で第１の基準信号並びにリソース要素の前記第２のセット内で第２の基準信号を示す基準信号を送信することとを備える、方法。
【請求項１３】
前記基準信号を送信することは、異なるスロット内にある前記少なくとも２つのアンテナポートに対応する前記リソース要素内で前記基準信号を送信することを備える、請求項１２に記載の方法。
【請求項１４】
ワイヤレス通信のための装置であって、
１つまたは複数のアンテナポートの第１のセット向けの基準信号が送信されるようにスケジュールされる前記１つまたは複数のアンテナポートの第１のセット用のリソース要素の第１のセットを示す第１の基準信号構成を送信するための手段と、
１つまたは複数のアンテナポートの第２のセット向けの基準信号が送信されるようにスケジュールされる前記１つまたは複数のアンテナポートの第２のセット用のリソース要素の第２のセットを示す第２の基準信号構成を送信するための手段と、
少なくとも２つのアンテナポート間の関連付けを示す関連付け構成を送信するための手段と、ここにおいて、前記少なくとも２つのアンテナポートは１つまたは複数のアンテナポートの前記第１のセットにおける第１のアンテナポート並びに１つまたは複数のアンテナポートの前記第２のセットにおける第１のアンテナポートを含む、
前記関連付け構成に少なくとも部分的に基づいて、前記第１の基準信号および前記第２の基準信号間で同じである少なくとも１つのチャネル特性に基づきリソース要素の前記第１のセット内で第１の基準信号並びにリソース要素の前記第２のセット内で第２の基準信号を示す基準信号を送信するための手段とを備える、装置。
【請求項１５】
ワイヤレス通信のために請求項１乃至９、１２、１３のうちのいずれか１つのステップを行うように１つまたは複数のプロセッサによって実行可能なコードを備えるコンピュータ可読媒体。
【手続補正２】
【補正対象書類名】明細書
【補正対象項目名】００８４
【補正方法】変更
【補正の内容】
【００８４】
[0094]  本開示のこれまでの説明は、当業者が本開示を作成または使用することが可能になるように提供される。本開示への様々な修正は当業者には容易に明らかになり、本明細書で定義された共通原理は、本開示の精神または適用範囲から逸脱することなく、他の変形形態に適用され得る。さらに、説明された態様および／または実施形態の要素は、単数形で説明または特許請求され得るもので、単数形への限定が明示的に述べられていない限り、複数形が考えられる。さらに、任意の態様および／または実施形態の全部または一部は、別段説明されない限り、任意の他の態様および／または実施形態の全部または一部とともに利用され得る。従って、本開示は、本明細書において説明された例および設計に限定されるべきでなく、本明細書で開示された原理および新規の特徴に合致する最も広い適用範囲を与えられるべきである。
以下に本願の出願当初の特許請求の範囲に記載された発明を付記する。
[Ｃ１]  ワイヤレス通信において基準信号送信の密度を増大させるための方法であって、
１つまたは複数のアンテナポート向けの基準信号が送信されるようにスケジュールされる前記１つまたは複数のアンテナポート用のリソース要素を各々示す複数の基準信号構成を受信することと、
同様のチャネル特性に関係するものとして少なくとも２つのアンテナポート間の関連付けを示す関連付け構成を受信することと、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信することと、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うこととを備える、方法。
[Ｃ２]  前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、Ｃ１に記載の方法。
[Ｃ３]  前記関連付け構成は、前記少なくとも２つのアンテナポートが同じアンテナポートであると想定され得ることを示す、Ｃ１に記載の方法。
[Ｃ４]  前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定することをさらに備える、Ｃ１に記載の方法。
[Ｃ５]  前記複数の基準信号を前記受信することは、スロットの異なるシンボル内にある前記少なくとも２つのアンテナポート用の前記リソース要素上で前記複数の基準信号を受信することを備える、Ｃ１に記載の方法。
[Ｃ６]  前記チャネル測定を行うことは、前記少なくとも２つのアンテナポート上でチャネルの前記同様のチャネル特性の前記チャネル測定を行うことを備える、Ｃ１に記載の方法。
[Ｃ７]  前記複数の基準信号を前記受信することは、スロットの同じ複数のシンボル内にあって周波数上で均一に間隔が空けられた前記少なくとも２つのアンテナポートに対応する前記リソース要素内で前記複数の基準信号を受信することを備える、Ｃ１に記載の方法。
[Ｃ８]  前記複数の基準信号を前記受信することは、スロットの異なるシンボル内にあって周波数上で均一に間隔が空けられた前記少なくとも２つのアンテナポートに対応する前記リソース要素内で前記複数の基準信号を受信することを備える、Ｃ１に記載の方法。
[Ｃ９]  前記複数の基準信号を前記受信することは、異なるスロット内にある前記少なくとも２つのアンテナポートに対応する前記リソース要素内で前記複数の基準信号を受信することを備える、Ｃ１に記載の方法。
[Ｃ１０]  前記複数の基準信号を前記受信することは、前記複数の基準信号構成に基づいてアクセスポイントによって送信された複数のチャネル状態情報（ＣＳＩ）基準信号を受信することを備える、Ｃ１に記載の方法。
[Ｃ１１]  前記複数のＣＳＩ基準信号の少なくとも一部分に少なくとも部分的に基づいて、前記複数の基準信号構成のうちの１つに関連付けられた前記１つまたは複数のアンテナポートの各々についてのチャネル状態情報を測定することと、前記測定されたチャネル状態情報の指示を前記アクセスポイントに送信することとをさらに備える、Ｃ１０に記載の方法。
[Ｃ１２]  ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサとを備え、前記１つまたは複数のプロセッサは、
１つまたは複数のアンテナポート向けの基準信号が送信されるようにスケジュールされる前記１つまたは複数のアンテナポート用のリソース要素を各々示す複数の基準信号構成を受信することと、
同様のチャネル特性に関係するものとして少なくとも２つのアンテナポート間の関連付けを示す関連付け構成を受信することと、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信することと、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うことと
をするように構成される、装置。
[Ｃ１３]  前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、Ｃ１２に記載の装置。
[Ｃ１４]  前記１つまたは複数のプロセッサは、前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定するようにさらに構成される、Ｃ１２に記載の装置。
[Ｃ１５]  前記１つまたは複数のプロセッサは、スロットの異なるシンボル内にある前記少なくとも２つのアンテナポート用の前記リソース要素上で前記複数の基準信号を受信するように構成される、Ｃ１２に記載の装置。
[Ｃ１６]  前記１つまたは複数のプロセッサは、前記少なくとも２つのアンテナポート上でチャネルの前記同様のチャネル特性の前記チャネル測定を行うように構成される、Ｃ１２に記載の装置。
[Ｃ１７]  前記１つまたは複数のプロセッサは、スロットの同じ複数のシンボル内にあるか、または前記スロットの異なる複数のシンボル内にあって周波数上で均一に間隔が空けられた前記少なくとも２つのアンテナポートに対応する前記リソース要素内で前記複数の基準信号を受信するように構成される、Ｃ１２に記載の装置。
[Ｃ１８]  前記１つまたは複数のプロセッサは、異なるスロット内にある前記少なくとも２つのアンテナポートに対応する前記リソース要素内で前記複数の基準信号を受信するように構成される、Ｃ１２に記載の装置。
[Ｃ１９]  ワイヤレス通信のための装置であって、
１つまたは複数のアンテナポート向けの基準信号が送信されるようにスケジュールされる前記１つまたは複数のアンテナポート用のリソース要素を各々示す複数の基準信号構成を受信するための手段と、
同様のチャネル特性に有するものとして少なくとも２つのアンテナポート間の関連付けを示す関連付け構成を受信するための手段と、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信するための手段と、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うための手段とを備える、装置。
[Ｃ２０]  前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、Ｃ１９に記載の装置。
[Ｃ２１]  前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定するための手段をさらに備える、Ｃ１９に記載の装置。
[Ｃ２２]  前記複数の基準信号を受信するための前記手段は、スロットの異なるシンボル内にある前記少なくとも２つのアンテナポート用の前記リソース要素上で前記複数の基準信号を受信する、Ｃ１９に記載の装置。
[Ｃ２３]  行うための前記手段は、前記少なくとも２つのアンテナポート上でチャネルの前記同様のチャネル特性の前記チャネル測定を行う、Ｃ１９に記載の装置。
[Ｃ２４]  前記複数の基準信号を受信するための前記手段は、スロットの同じ複数のシンボル内にあるか、またはスロットの異なるシンボル内にあって周波数上で均一に間隔が空けられた前記少なくとも２つのアンテナポートに対応する前記リソース要素内で前記複数の基準信号を受信する、Ｃ１９に記載の装置。
[Ｃ２５]  前記複数の基準信号を受信するための前記手段は、異なるスロット内にある前記少なくとも２つのアンテナポートに対応する前記リソース要素内で前記複数の基準信号を受信する、Ｃ１９に記載の装置。
[Ｃ２６]  ワイヤレス通信のための１つまたは複数のプロセッサによって実行可能なコードを備えるコンピュータ可読媒体であって、前記コードは、
１つまたは複数のアンテナポート向けの基準信号が送信されるようにスケジュールされる前記１つまたは複数のアンテナポート用のリソース要素を各々示す複数の基準信号構成を受信するためのコードと、
同様のチャネル特性に有するものとして少なくとも２つのアンテナポート間の関連付けを示す関連付け構成を受信するためのコードと、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信するためのコードと、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うためのコードとを備える、コンピュータ可読媒体。
[Ｃ２７]  前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、Ｃ２６に記載のコンピュータ可読媒体。
[Ｃ２８]  前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定するためのコードをさらに備える、Ｃ２６に記載のコンピュータ可読媒体。
[Ｃ２９]  前記複数の基準信号を受信するための前記コードは、スロットの異なるシンボル内にある前記少なくとも２つのアンテナポート用の前記リソース要素上で前記複数の基準信号を受信するものである、Ｃ２６に記載のコンピュータ可読媒体。
[Ｃ３０]  前記複数の基準信号を受信するための前記コードは、スロットの同じ複数のシンボル内にあるか、またはスロットの異なる複数のシンボル内にあって周波数上で均一に間隔が空けられた前記少なくとも２つのアンテナポートに対応する前記リソース要素内で前記複数の基準信号を受信するものである、Ｃ２６に記載のコンピュータ可読媒体。
[Ｃ３１]  前記複数の基準信号を受信するための前記コードは、異なるスロット内にある前記少なくとも２つのアンテナポートに対応する前記リソース要素内で前記複数の基準信号を受信するものである、Ｃ２６に記載のコンピュータ可読媒体。
[Ｃ３２]  ワイヤレス通信において基準信号送信の密度を増大させるための方法であって、
１つまたは複数のアンテナポート向けの基準信号が送信されるようにスケジュールされる前記１つまたは複数のアンテナポート用のリソース要素を各々示す複数の基準信号構成を送信することと、
同様のチャネル特性に関係するものとして少なくとも２つのアンテナポート間の関連付けを示す関連付け構成を送信することと、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信することとを備える、方法。
[Ｃ３３]  前記基準信号を送信することは、スロットの異なるシンボル内にある前記少なくとも２つのアンテナポートに対応する前記リソース要素内で前記基準信号を送信することを備える、Ｃ３２に記載の方法。
[Ｃ３４]  前記基準信号を送信することは、スロットの複数のシンボルの同じセット内にあって周波数上で均一に間隔が空けられた前記少なくとも２つのアンテナポートに対応する前記リソース要素内で前記基準信号を送信することを備える、Ｃ３２に記載の方法。
[Ｃ３５]  前記基準信号を送信することは、スロットの異なるシンボル内にあって周波数上で均一に間隔が空けられた前記少なくとも２つのアンテナポートに対応する前記リソース要素内で前記基準信号を送信することを備える、Ｃ３２に記載の方法。
[Ｃ３６]  前記基準信号を送信することは、異なるスロット内にある前記少なくとも２つのアンテナポートに対応する前記リソース要素内で前記基準信号を送信することを備える、Ｃ３２に記載の方法。
[Ｃ３７]  前記基準信号は、前記複数の基準信号構成に基づいてアクセスポイントによって送信されたチャネル状態情報（ＣＳＩ）基準信号である、Ｃ３２に記載の方法。
[Ｃ３８]  前記ＣＳＩ基準信号を受信するデバイスから、前記ＣＳＩ基準信号に基づいてＣＳＩに関係する１つまたは複数のパラメータを受信することをさらに備える、Ｃ３７に記載の方法。
[Ｃ３９]  ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサとを備え、前記１つまたは複数のプロセッサは、
１つまたは複数のアンテナポート向けの基準信号が送信されるようにスケジュールされる前記１つまたは複数のアンテナポート用のリソース要素を各々示す複数の基準信号構成を送信することと、
同様のチャネル特性に関係するものとして少なくとも２つのアンテナポート間の関連付けを示す関連付け構成を送信することと、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信することと
をするように構成される、装置。
[Ｃ４０]  前記１つまたは複数のプロセッサは、スロットの異なるシンボル内にあって前記少なくとも２つのアンテナポートに対応する前記リソース要素内で前記基準信号を送信するように構成される、Ｃ３９に記載の装置。
[Ｃ４１]  前記１つまたは複数のプロセッサは、スロットの複数のシンボルの同じセット内にあって周波数上で均一に間隔が空けられた前記少なくとも２つのアンテナポートに対応する前記リソース要素内で前記基準信号を送信するように構成される、Ｃ３９に記載の装置。
[Ｃ４２]  前記１つまたは複数のプロセッサは、スロットの異なるシンボル内にあって周波数上で均一に間隔が空けられた前記少なくとも２つのアンテナポートに対応する前記リソース要素内で前記基準信号を送信するように構成される、Ｃ３９に記載の装置。
[Ｃ４３]  前記１つまたは複数のプロセッサは、異なるスロット内にあって前記少なくとも２つのアンテナポートに対応する前記リソース要素内で前記基準信号を送信するように構成される、Ｃ３９に記載の装置。
[Ｃ４４]  ワイヤレス通信のための装置であって、
１つまたは複数のアンテナポート向けの基準信号が送信されるようにスケジュールされる前記１つまたは複数のアンテナポート用のリソース要素を各々示す複数の基準信号構成を送信するための手段と、
同様のチャネル特性に関係するものとして少なくとも２つのアンテナポート間の関連付けを示す関連付け構成を送信するための手段と、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信するための手段とを備える、装置。
[Ｃ４５]  前記基準信号を送信するための前記手段は、スロットの異なるシンボル内にあって前記少なくとも２つのアンテナポートに対応する前記リソース要素内で前記基準信号を送信する、Ｃ４４に記載の装置。
[Ｃ４６]  前記基準信号を送信するための前記手段は、スロットの複数のシンボルの同じセット内にあって周波数上で均一に間隔が空けられた前記少なくとも２つのアンテナポートに対応する前記リソース要素内で前記基準信号を送信する、Ｃ４４に記載の装置。
[Ｃ４７]  前記基準信号を送信するための前記手段は、スロットの異なるシンボル内にあって周波数上で均一に間隔が空けられた前記少なくとも２つのアンテナポートに対応する前記リソース要素内で前記基準信号を送信する、Ｃ４４に記載の装置。
[Ｃ４８]  前記基準信号を送信するための前記手段は、異なるスロット内にあって前記少なくとも２つのアンテナポートに対応する前記リソース要素内で前記基準信号を送信する、Ｃ４４に記載の装置。
[Ｃ４９]  ワイヤレス通信のための１つまたは複数のプロセッサによって実行可能なコードを備えるコンピュータ可読媒体であって、前記コードは、
１つまたは複数のアンテナポート向けの基準信号が送信されるようにスケジュールされる前記１つまたは複数のアンテナポート用のリソース要素を各々示す複数の基準信号構成を送信するためのコードと、
同様のチャネル特性に関係するものとして少なくとも２つのアンテナポート間の関連付けを示す関連付け構成を送信するためのコードと、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信するためのコードとを備える、コンピュータ可読媒体。
[Ｃ５０]  前記基準信号を送信するための前記コードは、スロットの異なるシンボル内にあって前記少なくとも２つのアンテナポートに対応する前記リソース要素内で前記基準信号を送信するものである、Ｃ４９に記載のコンピュータ可読媒体。
[Ｃ５１]  前記基準信号を送信するための前記コードは、スロットの複数のシンボルの同じセット内にあって周波数上で均一に間隔が空けられた前記少なくとも２つのアンテナポートに対応する前記リソース要素内で前記基準信号を送信するものである、Ｃ４９に記載のコンピュータ可読媒体。
[Ｃ５２]  前記基準信号を送信するための前記コードは、スロットの異なるシンボル内にあって周波数上で均一に間隔が空けられた前記少なくとも２つのアンテナポートに対応する前記リソース要素内で前記基準信号を送信するものである、Ｃ４９に記載のコンピュータ可読媒体。
[Ｃ５３]  前記基準信号を送信するための前記コードは、異なるスロット内にあって前記少なくとも２つのアンテナポートに対応する前記リソース要素内で前記基準信号を送信するものである、Ｃ４９に記載のコンピュータ可読媒体。